(57)【特許請求の範囲】
【請求項１】
コイル輸送パレット（８）を担持するためのパレット担持部（１１Ａ）を備えたコイル輸送車両（１１）と、
巻取られたコイル（６）を一時的に担持するための担持装置（３５）、コイル輸送パレット（８）をコイル輸送車両（１１）と結合するための結合ユニット（４０）、および貫通開口部（５０）とを備えた、巻取られたコイル（６）を輸送するためのコイル輸送パレットとを備えたシステムにおいて、
コイル輸送車両（１１）が、下方からコイル輸送パレットの貫通開口部を通り抜けて案内されかつコイル輸送車両（１１）に対して移動可能な押当て要素（５１）を備えた押当て装置（５２）を備えていることを特徴とするシステム。
【請求項２】
貫通開口部（５０）により互いに間隔をおいた、結合ユニット（４０）の二つの結合空間（４３）の間におよび／または貫通開口部（５０）により互いに間隔をおいた二つの滑り材（２７，２８）の間に貫通開口部（５０）が配置されていることを特徴とする請求項１に記載のシステム。
【請求項３】
貫通開口部（５０）が、担持装置（３５）の下方に配置されていることを特徴とする請求項１または２に記載のシステム。
【請求項４】
貫通開口部（５０）が、担持装置（３５）の凹部（３６）内に配置されていることを特徴とする請求項１〜３のいずれか一つに記載のシステム。
【請求項５】
貫通開口部（５０）の長手方向の延び（５３）が、コイル輸送パレット（８）の長手方向の延び（２１）の方向に整向されていることを特徴とする請求項１〜４のいずれか一つに記載のシステム。
【請求項６】
コイル輸送車両（１１）がパレット移動装置（６５）を備えており、そして
移動可能な押当て要素（５１）がコイル輸送車両（１１）のパレット移動装置（６５）に対してパレット移動装置（６５）の移動方向に平行な方向に直線的に移動可能にコイル輸送車両（１１）に配置されており、
パレット移動装置（６５）を用いて、コイル輸送車両（１１）により担持されるコイル輸送パレット（８）がこのコイル輸送車両（１１）において移動可能であることを特徴とする請求項１に記載のシステム。
【請求項７】
コイル輸送車両（１１）の移動可能な押当て要素（５１）とパレット移動装置（６５）が、互いに独立してコイル輸送車両（１１）に対してかつこのコイル輸送車両（１１）により担持されるコイル輸送パレット（８）に対して直線的に移動可能にコイル輸送車両（１１）に配置されていることを特徴とする請求項６に記載のシステム。
【請求項８】
コイル輸送車両（１１）であって、
コイル輸送パレット（８）を担持するためのパレット担持部（１１Ａ）とパレット移動装置（６５）を備えたコイル輸送車両において、
少なくとも一つの巻取り層（４９）および／または一つの巻取り層端部（７８）を巻取られたコイル（６）に押当てるためのコイル輸送車両（１１）が移動可能な押当て要素（５１）を有する押当て装置（５２）を備えており、
移動可能な押当て要素（５１）がコイル輸送車両（１１）に対して移動可能に、及び／又は旋回可能にこのコイル輸送車両（１１）に支承されており、コイル輸送パレット（８）がさらに間隔をおいて巻取られたコイル（６）により保持される場合に、移動可能な押当て要素（５１）をすでに巻取られたコイル（６）と作用するように接触させるために、移動可能な押当て要素（５１）とパレット移動装置（６５）が、コイル輸送車両（１１）とは互いに独立してかつこのコイル輸送車両（１１）に担持されるコイル輸送パレット（８）に対して直線的に移動可能にコイル輸送車両（１１）に配置されていることを特徴とするコイル輸送車両（１１）。
【請求項９】
移動可能な押当て要素（５１）が、コイル輸送車両（１１）において、押当て要素がコイル輸送パレット（８）に構成された貫通開口部（３０）を通り抜けて垂直方向に移動可能であるように直線的に移動可能に配置されていることを特徴とする請求項８に記載のコイル輸送車両。
【請求項１０】
移動可能な押当て要素（５１）が、コイル輸送車両（１１）のパレット移動装置（６５）に対して直線的に移動可能にコイル輸送車両（１１）に配置されており、パレット移動装置（６５）を用いて、コイル輸送車両（１１）により担持されるコイル輸送パレット（８）がこのコイル輸送車両（１１）において移動可能であることを特徴とする請求項８または９に記載のコイル輸送車両。
【請求項１１】
巻取り設備（２，３，４）に巻取られたコイル（６）を排出するための方法であって、
この方法において、この巻取られたコイル（６）を巻取り設備（２，３，４）から排出し、かつ別の処理のために準備するために、巻取られたコイル（６）が、コイル輸送パレット（８）を用いてコイル輸送車両（１１）上に降ろされる方法において、
コイル（６）の少なくとも一つの巻取り層および／または巻取り層（７８）が、押当て装置（５２，７１，７２，７３）を用いて巻取られたコイル（６）に押当てられ、
押当て装置（５２）がコイル輸送車両（１１）を用いて巻取り設備（２，３，４）において準備され、そして
コイル輸送車両（１１）に配置された押当て装置（５２）の移動可能な押当て要素（５１）が、コイル輸送車両（１１）から出て、下方からコイル輸送パレット（８）内の貫通開口部を通り抜けて、巻取られたコイル（６）の巻取り層（４９）および／または巻取り層端部（７８）に対して押当てられることを特徴とする方法。
【発明の詳細な説明】
【技術分野】
【０００１】
本発明は、巻取られたコイルを輸送するためのコイル輸送パレットであって、巻取られたコイルを一時的に担持するための担持装置、コイル輸送車両と結合するための結合ユニットおよび／またはフロアコンベア装置と相互作用するための滑走及び／又は摺動面とを備えたコイル輸送パレットに関する。
【０００２】
本発明はさらに、コイル輸送車両、特にコイル輸送パレットを収容するためのパレット収容部を備えたコイル排出車に関する。
【０００３】
本発明は巻取られたコイルを輸送するための、巻取られたコイルを一時的に担持するための担持装置、フロアコンベア装置と相互作用するための、コイル輸送車両とおよび／または滑走および／または摺動面と結合するための結合ユニットを備えたコイル輸送パレットから成り、さらにコイル輸送パレットを収容するためのパレット収容部とパレット移動装置を備えた、コイル輸送車両、特にコイル排出車から成る巻取られたコイルを排出および／または輸送するためのシステムにも関し、このシステムにおいて、パレット移動装置を用いて、コイル輸送車両により収容されたコイル輸送パレットはこのコイル輸送車両において移動可能である。
【０００４】
本発明は、さらに、巻取り設備に巻取られたコイル、特に鋼ストリップから巻取られたコイルを排出するための方法に関し、この方法において、巻取られたコイルの少なくとも一つの巻取り層および／または巻取り層端部が、押当て装置を用いて巻取られたコイルに押当てられ、この方法において、この巻取られたコイルを巻取り設備から排出し、かつ別の処理のために準備するために、巻取られたコイルが、コイル輸送パレットを用いてコイル輸送車両上に、特にコイル排出車上に降ろされる。
【背景技術】
【０００５】
従来技術においては多数のコイル排出兼コイル輸送設備が存在し、この設備を用いて、巻取り設備に巻取られたコイルはこの巻取り設備から排出され、別の処理のために、対応する別の処理設備あるいは巻取られたコイルが一時的に一時貯蔵される一時貯蔵施設まで直接輸送できる。
【０００６】
ほぼ鋼ストリップから成るような、高い剛性を備えた金属ストリップから成る、特に巻取られたコイルの場合、巻取られたコイルが不慮に跳ね上る高い危険が存在する。言い換えれば、少なくとも外側の彎曲した、コイルの巻取り層の少なくとも一部が広がり、それによりこの巻取られたコイルの別の処理が少なくとも著しく困難になる。巻取られたコイルのこのような跳ね上りを防止するために、巻取られたコイルは巻取り後、すぐに結束機を利用して固く結びつけられる。対応する結束要素を用いた結び付は、費用と時間がかかるだけでなく、さらに巻取られたコイルがその外側に損傷される恐れがあるという短所も有する。さらに巻取られたコイルを取扱う際に、これに関して対応する結束機の結束要素が損傷を与えられる恐れがあり、それにより、巻取られたコイルが特にその移動する間に、不慮に跳ね上り、この際に最悪の場合、それどころか作業員が不慮に傷つけられる恐れがある。
【０００７】
さらに、巻取られたコイルは巻取り設備と別の処理設備あるいは一時貯蔵施設の間のコイルの移動時に度々何回か移動されるのが通例である。正確に言うと、巻取られたコイルはコイル移動中、様々な時点に収容され、降ろされ、さらに輸送され、再度収容されたりする。しかし、この取り扱いにより、巻取られたコイルが例えば巻取り設備に設けられた、巻取られたコイルが巻取り設備から排出される排出装置によりおよび／または時間的に移動されて異なる台架上に何度か降ろされる場合に、確かにすでに、コイルの外側の巻取り層にわずかに生じる恐れがある多くの降ろした時のマークにより損傷を与えられる危険も増す。コイルがコイル輸送パレット上でコイル・パレットユニットとして輸送されることにより、この短所にはすでに逆に作用される。
【０００８】
さらに、巻取りが、巻取られたコイルが移動中に頻繁に昇降することにより乱雑にずれ、それにより個々の巻取り層が緩む場合に重大な短所となる。このことは、巻取られたコイルの形状安定性に極度に不利に作用する。この短所もコイル輸送パレットを用いたコイル輸送により逆に作用することができる。
【０００９】
例えば、特許文献１から、環状物に巻取られたストリップ材料を輸送するためのロードフレームが知られており、ロードフレームは上方へ向かって分岐するように延びる両側壁を備えており、これらの側壁の間で、巻取られたストリップ材料から成る一つあるいは複数の環状物が輸送のために降ろされることができる。
【００１０】
さらに、特許文献２において、車台を備えたローラカッター装置のコイル交換装置が知られており、この車台を用いて、コイラーに巻かれたコイルはコイルホルダのコイルホルダアーム上に降ろされ、コイラーから取去られる。コイル排出車は、その際に、昇降ステージを備えており、この昇降ステージは、コイル排出車に設けられた液圧シリンダを用いてコイルの下方まで持上げられる。この目的で昇降ステージは支持プレートを備えている。昇降ステージは更に垂直に移動可能な固定バーを備えており、これらの固定バーを用いて、コイルホルダはコイル排出車に固定されかつ不慮の位置ずれに対して固定できる。固定バーを収容するために、コイルホルダは対応する固定孔を有しており、これらの固定孔内に、コイルホルダを固定するための固定バーが挿入できる。固定バーは支持プレートに不動にネジ締めされている。
【００１１】
特許文献３からは金属コイルあるいはコイルのための台架が知られており、金属コイルは実質的にその横断面で観察すると円形の周囲を備えており、台架は少なくとも三つの支持点を備えており、これらの支持点は、金属コイルが台架上に降ろされると、これら支持点が金属コイルとその周囲の方向に接触するように配置されている。
【００１２】
特許文献４には金属ストリップを取扱うための装置と方法が開示されている。装置は、巻取りマンドレル上で金属ストリップをコイルに巻き付けるための巻取りマンドレルと、巻取りマンドレルからコイルを収容するためのかつ巻取り装置からコイルを引渡すための台架を備えたコイル引渡し車を備えている。巻取り装置内の金属ストリップを、コイル引渡し車上へ巻取りマンドレルを引渡す際に並びにコイル引渡し車で輸送する間、付加的に固定するために、コイル引渡し車の台架上へコイルを押圧するためにコイルの外側の周囲へ第一の押さえ力を作用させるための第一の押さえホルダアームが設けられている。
【００１３】
特許文献５はコイル車を備えた巻取り担持装置を示しており、このコイル車は巻取られたコイルのための担持装置を備えており、担持装置は液圧シリンダを用いて昇降することができる。
【００１４】
特許文献６は大型のコイル、すなわち大型の巻取られた金属ストリップのためのコイル輸送パレットを開示している。パレットはその底部において二つの開口部をローラスタンドの貫通案内部上に備えている。これらのローラスタンドにより、コイルは本来のパレットから垂直に取り外せる。
【００１５】
特許文献７はコイルパレットを開示しており、このパレット上で多数の巻取られたコイルが隣接して相並んで取り去ることができる。隣接したコイルが相互に触れることを阻止するために、コイルは各々、例えばストリップ、好ましくは金属ストリップの補助によりパレットに固定されている。
【００１６】
特許文献７はコンテナ内でコイルを輸送するための装置を開示している。コンテナの底部に沿って輸送位置内へ押動かされるように、装置あるいはパレットが適している。
【先行技術文献】
【特許文献】
【００１７】
【特許文献１】独国特許出願公開第１９３４３３６号明細書
【特許文献２】特許昭５０−５３４２号公報
【特許文献３】国際特許出願公開第２０１１／０７６８２１号明細書
【特許文献４】国際特許出願公開第２０１２／０７６２７３号明細書
【特許文献５】特開２０１１−０２０７６１号公報
【特許文献６】米国特許第３８８９８３１号明細書
【特許文献７】米国特許第４７３２５２８号明細書
【特許文献８】欧州特許出願公開第２４４７１８８号明細書
【発明の概要】
【発明が解決しようとする課題】
【００１８】
本発明の根底を成す課題は、巻取られたコイルが巻取り設備においてかつ巻取り設備の巻取りマンドレルを取外す際にコイル輸送パレット上に降ろされる間に、巻取られたコイルの外側の巻取り層および／または巻取り層がすでに巻取られたコイルに押当てできるように、巻取られたコイルを排出するためのシステム、コイル輸送車両および方法をさらに形成することである。
【課題を解決するための手段】
【００１９】
この課題は、システムに関しては請求項１の対象により解決される。
【００２０】
コイル輸送パレットに設けられた貫通開口部により、押当て装置は、これまでまだ知られていない技術で、巻取りマンドレルに保持される巻取られたコイルと相互作用することができ、従って、巻取り設備から完全に巻取られたコイルを排出するための排出工程がすべて形成することができる。
【００２１】
貫通開口部は担持装置の下方に配置されているので、コイル輸送パレットの構成は、構造上簡素化されている。これにより、コイル輸送パレットがコイル輸送車両上にあると、特に押当て装置の押当て要素は、具合よく下方から巻取られたコイルに案内できる。
【００２２】
この点で、貫通開口部がコイル輸送車両の方を向いた、コイル輸送パレットの側に配置されていると有利である。特にコイル・パレットユニットは、前記コイル輸送パレットを用いて有利に作ることができる。
【００２３】
“コイル・パレットユニット”という概念は、本発明の思案では、基本的に、前記コイル輸送パレット及びこのコイル輸送パレットに、コイル移動（Ｂｕｎｄｒｅｉｓｅ）のための巻取り設備に割当てられ、巻取られたコイルから成る装置を表現し、コイルは一時的にコイル輸送パレット上で操作上安全に降ろされている。
【００２４】
特に新しい前記コイル輸送パレットは押当て装置の別の配置を可能にし、従って以下にさらに詳細に説明されているように、巻取り設備に巻取られたコイルを排出するための装置の新たな形態を可能にする。
【００２５】
いずれにせよ、コイル輸送パレットは押当て要素・貫通開口部を備えており、従って、少なくとも外側の巻取り層および／または押当て要素を使用して巻取られたコイルの外側の巻取り層端部は、コイル輸送パレットにより巻取られたコイルに押当てることができる。
【００２６】
そして、巻取り設備においてかつ巻取り設備の巻取りマンドレルから取外す際に、巻取られたコイルが降ろされる間、このことはすでにもうできるようになっている。
【００２７】
従って、コイル輸送パレットは本発明の意味では押当て要素・貫通開口部を形成しており、この押当て要素・貫通開口部は、問題なくコイル輸送パレットを通り抜けて巻取られたコイルにまで案内されることができるように、押当て要素の寸法に合わせられている。
【００２８】
本発明の意味において、前記コイル輸送パレットは、好ましくはコイル排出パレットであり、このコイル排出パレットは、特にコイル排出車として実現されたコイル輸送車両に所属できる。
【００２９】
特にコイル輸送車両に配置された押当て装置の押当て要素をコイルと相互作用させることを可能にするために、前記貫通開口部が最も異なって形成されることができる。
【００３０】
貫通開口部は、担持装置により、少なくとも一部が、好ましくは完全に囲まれていると、実現できるのが構造上特に有利でありかつ上手く到達可能である。
【００３１】
特に担持装置が貫通開口部を完全に囲んでいる場合、貫通開口部は担持装置により閉鎖されて環状に取囲まれることができ、従って担持装置は特に安定して構成されている。
【００３２】
この点で、貫通開口部が担持装置により少なくとも一部が囲まれていると有利である。
【００３３】
その際に、コイル輸送パレットの担持装置は、その上で、巻取りマンドレルから来る巻取られたコイルが安全に降ろせるように設計されている。この点で、担持装置はコイル輸送パレットに巻取られたコイルを収容しかつ担持するために使用される。
【００３４】
コイル輸送パレットに設けられた、結合ユニットの結合面は、好ましくはコイル輸送パレットの下側に或いは下側から作業可能に配置されており、かつこれらの結合面は結合ユニットの構成要素であり、これらの結合面を用いてコイル輸送パレットはコイル輸送車両に確実に一時的に結合できる。
【００３５】
滑走および／または摺動面は、同じく好ましくはコイル輸送パレットの下側に配置されている。滑走および／または摺動面は、コイル輸送パレットが前記フロアコンベア装置に接して輸送される必要がある場合に、対応するように補完的に構成された強制案内装置と、例えば固定式のフロアコンベア装置と相互作用することができる。
【００３６】
コイル輸送パレットはローラ無しで設計されているのが好ましく、従って滑走および／または摺動面は、例えば滑り材あるいはそのような物により実現されており、これらの滑り材は固定式のフロアコンベア装置のローラテーブルアレーに沿って具合よく移動できる。
【００３７】
コイル輸送車両は可動であり、フロアコンベア装置は固定式に構成されていることはさきに挙げた。
【００３８】
貫通開口部が、貫通開口部により互いに間隔をおいた、結合ユニットの二つの結合空間の間に及び／又は貫通開口部により互いに間隔をおいた、滑走および／または摺動面を構成する二つの滑り材の間に配置されている場合、前記貫通開口部は、押当て装置を考慮してコイル輸送パレットに置けるのが有利である。これにより、コイル・パレットユニットを複雑でなくかつフェールセーフに作るために、押当て要素は巻取られたコイルと有利に協働できる。
【００３９】
貫通開口部が担持装置の凹部内に配置されていると、コイル・パレットユニットは特に簡素に作れる。これにより、押当て要素は凹部の下方から巻取られたコイルまで案内できる。
【００４０】
凹部はこの場合、担持装置あるいはコイル輸送パレットの窪地を構成しており、従って巻取られたコイルはできるだけ深くコイル輸送パレット内に置くことができ、従ってコイル輸送車両のできるだけ近くに配置できる。
【００４１】
その理由で、押当て要素あるいは押当てローラが、凹部内に配置されている凹部ローラ要素として構成されていると有利である。
【００４２】
この点で最後に、貫通開口部がコイル輸送パレットの下側に配置されていると有利である。その理由は、これにより押当て装置が構想的に巻取られたコイルまで容易に案内できることにある。
【００４３】
下側に配置されているというのは、別の言葉で言えば、貫通開口部が、コイル輸送パレットの長手方向および横方向範囲により広げられている平面内に配置されていることを意味し、この貫通開口部はこの平面を、コイル輸送パレットが特に下方から物理的に貫通できるように突き進む。
【００４４】
貫通開口部によりコイル輸送パレットは開き、従って下方に、しかもコイル輸送パレットが下方から押当て装置により少なくとも一部が貫通できるようにして開く。
【００４５】
さらに、貫通開口部が、コイル輸送パレットの長手方向範囲の方向に構成されている長手方向整向部を備えていると有利である。これにより、貫通開口部は、長手方向範囲に対して、特にコイル輸送パレットの好ましい輸送方向に対してほぼ軸に平行に整向されていてもよい。
【００４６】
貫通開口部が、担持装置により構成されているコイル収容空間の長手方向範囲の方向に整向されている長手方向整向部を備えていると、押当て要素は問題なく好ましくはコイル幅全体にわたりコイルと相互作用することができ、それによりコイル・パレットユニットは品質的に高いレベルで作ることができる。
【００４７】
全く同様にして、貫通開口部が、担持装置上に降ろされるコイルのコイル回転軸線の方向に整向されている長手方向整向部を備えていると、コイル・パレットユニットの作成に有利な結果をもたらす。
【００４８】
巻取られたコイルと押当て装置の間の良好な相互作用は、貫通開口部が、押当て要素の回転軸線の方向に整向されている長手方向整向部を備えているとさらに促進され得る。
【００４９】
コイル排出パレットの構造は、貫通開口部が、コイル輸送パレットに設けられたコイル結束方向に対して横方向に及び／又はコイル輸送パレットに配置されたコイル結束開口部に対して横方向に延びるように配置されているとさらに合目的に構成できる。
【００５０】
特に、コイル輸送パレット或いはとりわけ担持装置は、巻取られたコイルが、幅狭く構成されている枠台要素上に降ろすことができ、この枠台要素が巻取られたコイルのための制限された台架面を提供するように架橋要素により構成されていてもよい。架橋要素あるいは枠台要素の間の中間空間は、その際に、少なくとも一つの巻取り層および／または巻取り層端部をコイルに押当てるために、押当て装置の押当て要素を貫通させるための貫通開口部を配置するために使用できる。
【００５１】
巻取られたコイルをコイル輸送パレット上に付加的に結束するさらに結束するチャンスが必要であるか或いは所望であれば、提案されたコイル輸送パレットの構成は、とりわけ、特別に信頼できるコイル収容部を保障しかつ提供する。さらに、コイル検査での別の処理の可能性もある。
【００５２】
記載されたように、コイル輸送パレットに設けられた貫通開口部は、コイル輸送車両に配置された押当て装置の少なくとも一部が、この貫通開口部を通り抜けて案内可能であるように、コイル輸送車両に対して配置されていると、排出工程はさらに著しく改善でき、従って、押当て装置の押当て要素は、巻取られたコイルと、完全に巻取られたコイルが止め具で固定されている場所には左右されずに相互作用することができる。その際、巻取られたコイルが尚巻取り設備の内側あるいは外側にあるかどうかの役割は果たさない。
【００５３】
この点で、好ましい構成の変形は、押当て要素が、巻取り設備の内側でも外側でも巻取られたコイルと相互作用することができることを考慮している。正確に言うと、巻取られたコイルが、一方では、なお巻取り設備の内側で巻取りマンドレルに止め具で固定されている場合に、そして巻取られたコイルが、他方では、コイル輸送車両に降ろされてかつこのコイル輸送車両と共に、場合によっては巻取り設備からでて輸送されていると、押当て装置は巻取られたコイルと有効に相互作用することができる。
【００５４】
この関係で、本発明の課題は、コイル輸送パレットを収容するためのパレット収容部とパレット移動装置を備えた、コイル輸送車両よっても、特にコイル排出車によっても解決され、その際に、コイル輸送車両は、少なくとも一つの巻取り層および／または一つの巻取り層端部を巻取られたコイルに押当てるための移動可能な押当て要素を備えた押当て装置を備えており、およびその際に、コイル輸送パレットが巻取られたコイルから尚間隔をおいて保持されると、移動された押当て要素をすでに巻取られたコイルと作用を与える接触状態にするために、移動可能な押当て要素とパレット移動装置は、コイル輸送車両に対してかつこのコイル輸送車両により収容された互いに独立してコイル輸送パレットに対して直線的に移動可能にコイル輸送車両に配置されている。
【００５５】
このようなコイル輸送車両を用いて、排出工程は、前記コイル輸送パレットにより構造的に極めて簡素に遂行できる。
【００５６】
好ましい構成の変形は、移動可能な押当て要素は、コイル輸送車両において、押当て要素が、コイル輸送パレットに構成された貫通開口部を通り抜けて移動可能であるように直線的に移動可能に配置されていることを考慮している。従って、移動可能な押当て要素は、担持装置の下側に配置された貫通開口部を通り抜けて案内されることができる。
【００５７】
“垂直な”概念は、先に述べたように、構成要素を垂直な方向に備えている移動可能な押当て要素の運動を記載する。
【００５８】
別の有利な構成の変形は、移動可能な押当て要素が、コイル輸送車両のパレット移動装置に対して直線的に移動可能にコイル輸送車両に配置されていることを考慮しており、レット移動装置を用いて、コイル輸送車両により収容されるコイル輸送パレットは、このコイル輸送車両において走行可能である。これにより、移動可能な押当て要素は、巻取られたコイルに対する、コイル輸送パレットとコイル輸送車両の間の相対運動に左右されずに移動されるか或いは作動されることができ、それにより、コイル・パレットユニットは容易に巻取り設備において作ることができる。
【００５９】
“パレット移動装置”の概念は、この場合、コイル輸送車両の装置をひっくるめて表しており、この装置の補助により、コイル輸送パレットはコイル輸送車両において垂直に進むことができる。別の言葉で表現すると、このコイル輸送パレットはコイル輸送車両において昇降可能である。
【００６０】
前記パレット収容部はパレット移動装置の移動可能な構成要素であり、従ってパレット収容部は本発明の意味では昇降可能であるのが好ましい。
【００６１】
移動可能な押当て要素は、さきに述べたようにほぼ、駆動されるか或いは駆動されないローラ要素あるいはその様な物として構成できる。しかし、同時に別の構成の変形も可能である。
【００６２】
移動可能な押当て要素は、巻取られたコイルの回転軸線に関して異なる調整角度でもって調整するために水平方向に及び／又は昇降させるために垂直方向に調節可能である。
【００６３】
押当て装置あるいはその移動可能な押当て要素は、特に押当て要素が少なくとも一部が可動なコイル輸送車両により構成された結合装置に対して相対的に移動可能に可動なコイル輸送車両に配置されているように、可動なコイル輸送車両に配置されているのが好ましい。
【００６４】
“結合装置”の概念は、本発明の意味では、それを用いてコイル輸送パレットが特に確実にパレット移動装置に固定できる装置を表現し、従って、コイル輸送パレットは意図された解決手段に対して極めて良好に保障されている。
【００６５】
結合装置は、すぐにコイル輸送パレットの中心合せが可動なコイル輸送車両において行えるように構成されているのが好ましい。
【００６６】
巻取られたコイルの有利な中心合せは、例えば可動なコイル輸送車両の異なるアプローチ位置により得られる。
【００６７】
コイル輸送車両が本発明の根底を成すコイル輸送パレットを特徴とする場合、コイル輸送車両に特有の押当て装置の上記移動可能な押当て要素は、構造的に特に容易に巻取り設備に巻取られたコイルと相互作用することができる。
【００６８】
本発明の課題は請求項１１による方法によっても解決される。
【００６９】
コイル輸送車両に配置された押当て装置の移動可能な押当て要素は、コイル輸送車両から出て、コイル輸送パレットを通り抜けて巻取られたコイルの巻取り層および／または巻取り層端部に対して押当てられると、極めてコンパクトに作用する押当て装置が実現されている。
【００７０】
コイル輸送車両に配置された押当て装置の移動可能な押当て要素が、下方から垂直にコイルの巻取り層および／または巻取り層端部に対して押当てられると、移動可能な押当て要素は、構造的に容易に巻取られたコイルに対して押当てすることができる。
【００７１】
コイル輸送車両に配置された押当て装置の移動可能な押当て要素がコイルに押当てられると、この方法は特に都合よく変わることができるが、コイルは巻取り設備の巻取りマンドレルを用いて回転される。これにより、巻取り層端部は担持装置に対して極めて好都合に位置合わせすることができる。
【００７２】
“巻取り設備”の概念は、それを用いて、ストリップ、特に鋼ストリップがコイルに巻き付けできる設備を表し、従って、このストリップは輸送のために及び／又は一時貯蔵のために容易に取扱い可能にかつそれに加えて場所をとらずに格納できる。従来技術において、“巻取り設備”という表現に対しては、コイラー等のような別の概念も一般に用いられている。
【００７３】
巻取られたコイルの少なくとも外側の巻取り層あるいは外側のストリップ端部が、押当て装置により巻取られたコイルに押当てられることにより、巻取られたコイルはコイル輸送パレット上で、巻取られたコイルの巻取りの不慮の跳ね上りの危険がほとんど排除できるように降ろすことができる。
【００７４】
巻取り工程の作業下流側にある結束機の使用は巻取り設備のすぐ後ではやらず、それにより巻取り設備に巻取られるコイルの輸送は簡素化される。
【００７５】
このことは、巻取られてかつ巻取りマンドレルから取外されたコイルがこれに引続いて直接コイル輸送パレット上に降ろされることを意味する。
【００７６】
従って、直接巻取り設備においてコイル・パレットユニットが作られることができ、このコイル・パレットユニットは一時的に、巻取られてかつコイル輸送パレットで押当て装置の補助により降ろされたコイルが、巻取り設備と別の処理設備あるいは一時貯蔵施設の間のコイルの移動時にあるような期間は存在する。
【００７７】
これによりさらに、巻取られたコイルが結束の際に結束機により機械式に損傷を与えられる危険は減らされる。
【００７８】
本発明は、これらのストリップ材料がコイルに巻取られて容易に跳ね上る傾向があるので、より高い剛性のストリップ材料と関連して使用可能であり、従って、これに関して巻取られたコイルを結束する際に、特殊な処理が取られる必要があり、それによりまたもや極めて費用がかかる。
【００７９】
本発明の好ましい変形は、巻取り設備に巻取られたコイルの巻取り設備が、巻取り層端部が押当て装置及び／又はコイル輸送パレットを用いて巻取られたコイルに押当てられるように押当て装置及び／又はコイル輸送パレットに対して位置合わせされることを考慮している。
【００８０】
巻取り層端部は１７時の位置あるいは１９時の位置の領域内で、例えば巻取りマンドレルの回転により回転されるのが好ましく、従って第一に、押当て装置と引続いてコイル輸送パレットは、巻取り層端部により作用を与える接触状態にされることができる。
【００８１】
さらに、巻取られたコイルに、巻取り設備と別の処理装置および／または貯蔵装置の間のコイル移動のために、正確にコイル輸送パレットが割当てられると有利である。これにより、巻取られたコイルの輸送はさらに著しく簡素化できる。巻取られたコイルは良好に確実にコイル輸送パレットにより収容されているので、二つのフロアコンベア装置あるいはそのような物の間の引渡し活動はより複雑ではなくかつ迅速に行われる。
【００８２】
巻取られたコイル或いはコイル・パレットユニットのコイル移動部が多様に形成され得ることは自明である。
【００８３】
正確にこのコイル・パレットユニットを貯蔵装置および／または別の処理設備まで輸送されるように、巻取り設備に作られたコイル・パレットユニットが可動なコイル輸送車両を用いて固定式のフロアコンベア装置に引渡されると、コイル移動部は形成できるのは合目的である。
【００８４】
コイル輸送パレット上に降ろされたコイルを別の処理設備および／または貯蔵装置に引渡すために、巻取り設備に作られたコイル・パレットユニットが、第一に別の処理設備および／または貯蔵装置への引渡しのために再度解体されると特に合目的である。
【００８５】
コイル・パレットユニットはその際に、変わらずに存在したままである。
【００８６】
このことは別の言葉で言うと、コイル・パレットユニットが別の処理設備および／または貯蔵装置に達する前に、巻取り設備に一度コイル輸送パレット上に降ろされた巻取られたコイルは、再度コイル・パレットユニットにより使用されずかつ移される。
【００８７】
巻取り設備に作られたコイル・パレットユニットが移動時に固定式のフロアコンベア装置において少なくとも一度高さ方向軸線を中心に回転されると、巻取られたコイルは、作られたコイル・パレットユニットを用いて回転できる。
【００８８】
巻取られたコイルを特に密に巻取られてコイル輸送パレット上に降ろせるように、前記押当て装置が異なる空間位置でかつ異なる方法において外側の巻取り層あるいは外側の巻取り層のストリップ端部領域と相互作用できることは自明である。
【００８９】
前記コイル輸送車両は様々に構成できる。それを用いて、巻取られたコイルが巻取り設備から排出されかつ固定式のコンベア装置に引渡せることができるコイル排出車として構成されていることは好ましい。
【００９０】
この関連で、可動なコイル輸送車両がレールに固定されたコイル排出車を備えていると有利であり、その理由は、それにより構造上、特に簡素でかつ確実に構成された、巻取り設備に巻取られたコイルの排出が保証され得ることにある。
【００９１】
本発明は、ストリップを巻取るための少なくとも一つの巻取り設備を備えた、ストリップ、特に鋼ストリップを圧延するための、例えば圧延機におけるような、様々な設備で使用できる。これにより圧延機の運転はその全体において基本的に改善できる。
【００９２】
さらに、その際に、巻取られたコイルは、作業下流側のコイル移動のために、巻取られたコイルの別の処理部あるいは一時貯蔵部まで理想的には解体される必要が無いコイル・パレットユニットが作られているようにコイル輸送パレット上に配置されている。この点で、巻取られたコイルの排出は、コイル輸送パレットの無い巻取られたコイルの再度の移動が無くなるように行われることができ、それによりコイルの損傷の危険はほとんどなくすことができる。この目的で、巻取られたコイルは、好ましくはすでに巻取り設備内で特殊なコイル輸送パレットにより収容される。引続いて、巻取られたコイルは、コイル輸送パレットと一緒にコイル・パレットユニットとして、コイル排出車を用いて巻取り設備から排出されるか或いは走出され、例えば別の加工ステーション或いは処理ステーションまでさらに輸送される。このことは、一方では、押当て装置を利用した前記コイル・パレットユニットの特別な作成により可能になり、他方では、コイル輸送パレットの特別な構成および可動なコイル輸送車両とのその協働により可能になる。
【００９３】
前記発明を用いて、巻取るべきコイル材料ならびにコイル幅およびコイル直径はほぼ処理できる。
【００９４】
前記発明の他の特徴、効果および長所は、添付の図面および後に続く明細書に基づいて説明する。これらにおいて、模範的に第一の可能なコイル輸送パレット、第一の可能なコイル輸送車両、その限りでは巻取り設備に巻取られたコイルを排出するための第一の可能な装置ならびに模範的にこれに関するコイル排出兼輸送システムが図示されかつ記載されている。
【図面の簡単な説明】
【００９５】
【図１】巻取り設備に作られたコイル・パレットユニットを排出するための装置を各々備えた、コイルを各々巻取るための三つの巻取り設備の俯瞰的概略図を示す。
【図２】巻取られたコイルに少なくとも一つの巻取り層および／または巻取り層端部を押当てるための押当て装置の押当て要素を貫通させるための貫通開口部を備えたコイル輸送パレットの概略俯瞰斜的視図を示す。
【図３】図２に示されたコイル輸送パレットを備えた、押当て装置を装備したコイル輸送車両の概略斜視図を示す。
【図４】コイル輸送パレットの無い、移動可能なフロアコンベア車両の概略斜視図を示す。
【図５】コイル・パレットユニットを排出するための装置を備えた、図１に示された巻取り設備の概略正面図を示す。
【図６】貫通開口部を通り抜けて巻取られたコイルにまで移動された押当て要素を備えた図５による概略正面図を示す。
【図７】貫通開口部を通り抜けて巻取られたコイルにまで移動された押当て要素と、巻取られたコイルにまで進んだコイル輸送パレットとを備えた図５と６による概略別の正面図を示す。
【図８】垂直方向に下方に向かって進められたかあるいは移動された押当て要素を備えた、コイル輸送パレットにより担持され、作られたコイル・パレットユニットを有する図５〜７による再度の概略正面図を示す。
【発明を実施するための形態】
【００９６】
図１において、一例として、従ってある程度までだけ示されたコイル排出兼輸送システム１は、三つの巻取り設備２，３，４を備えており、これらの巻取り設備は、少なくともこの示された実施例においては、ここではこれ以外に図示されていない、鋼にストリップあるいはそのようなものを圧延するための圧延装置に作業下流側で接続されている。
【００９７】
しかし、これらの巻取り設備２，３或いは４は、別の設備領域あるいは特にその他の成形設備もしくはその類のような設備にも設けられていてもよい。
【００９８】
巻取り設備２，３及び４は、いずれも巻取り設備２，３或いは４に巻取られたコイル６を排出するための装置５を備えており、この装置は図５〜８にさらに詳細に示されかつ記載されている。
【００９９】
巻取り設備２，３及び４を用いて、特に鋼ストリップ６Ａ（図５参照）のような供給されるストリップは、その各々の（単に一例として番号を付された）巻取りマンドレル７に束あるいはコイル６に対してコンパクトに巻取られる。
【０１００】
コイル排出兼輸送システム１は、さらにコイル輸送パレット８（図２参照）を備えており、各々これらのコイル輸送パレット８上で、各々巻取られたコイル６を確実に取外しできるようになっており、従って、各巻取り設備２，３或いは４には、即座にコイル・パレットユニット１０が作られてもよい。
【０１０１】
各コイル輸送パレット８は、パレット収容部１１Ａを備えた移動するコイル輸送車両１１（図３及び４参照）により、巻取り設備２，３及び４の各々に供給される。
【０１０２】
巻取り設備２，３或いは４で巻取られるコイル６またはこれに関連して用意されるコイル輸送パレット８からコイル・パレットユニット１０を作るために、コイル輸送車両１１はその際に、レール部分１３に沿って進められることができる
【０１０３】
引続いて、コイルはコイル輸送車両１１により巻取り設備２，３或いは４から排出され、場合によっては作業下流側に接続されかつ固定式のフロアコンベア装置１５に引渡される。
【０１０４】
従って、コイル排出兼輸送システム１は、少なくともこの実施例では付加的に、同時に固定式に設置されたフロアコンベア装置１５を備えており、このフロアコンベア装置を用いて、各コイル・パレットユニット１０は、巻取り設備２，３或いは４から或いはこれに関連したコイル排出車１１から、（図示されていない）別の加工設備および／または（図示されていない）貯蔵施設へ輸送することができる。
【０１０５】
固定式に設置されたフロアコンベア装置１５は、（単に一例として番号を付されただけの）ローラテーブルアレー１６ならびに（同様に単に一例として番号を付されただけの）回転テーブルユニット１７を特徴として備えており、従って、特に各コイル・パレットユニット１０は、様々な輸送方向に輸送され得る。
【０１０６】
こ目的で、巻取り設備２，３或いは４に作られた各コイル・パレットユニット１０は、そのコイル移動の間、高さ方向軸線あるいは垂直軸線１８を中心にして回転することができ、従って、各コイル輸送パレット８上に降ろされた巻取られたコイル６は、常にコイル輸送システム１の内部のコイル・パレットユニット１０として、各巻取り設備２，３或いは４から或いは目的地まで移動されるか或いは輸送されることができる。その際に、このコイル・パレットユニット１０は途中で解かれず、従って、巻取られたコイル６はコイル輸送パレット８上に常に確実に乗せられている。
【０１０７】
図２に詳細に示されたコイル輸送パレット８は、その長手方向軸線２０の方向に長手方向範囲２１を備えており、この長手方向範囲は基本的にその横方向範囲よりも長い。この点で、巻取られたコイル６はコイル輸送パレット８上において、巻取られたコイル６のコイル回転軸線２３（図５〜８参照）が、長手方向軸線２０とほぼ同様に整向されているように載っている。
【０１０８】
コイル輸送パレット８は、ここに一例として示された構造においては、外側の滑り材フレーム２５を備えており、この滑り材フレームは、コイル輸送パレット８の下側２６に、長手方向軸緯線２０の左横にある第一の滑り材２７と長手方向軸緯線２０の右横にある別の滑り材２８を形成している。
【０１０９】
この点で、コイル輸送パレット８はローラ無しで構想されている。
【０１１０】
滑り材２７と２８は、（単に一例として番号を付された）適当な滑走面および／または摺動面２９を形成しており、従って、コイル輸送パレット８は、これらの滑り材２７と２８を用いて、固定式のフロアコンベア装置１５のローラテーブルアレー部分１６に沿って完璧に輸送できる。
【０１１１】
コイル輸送パレット８は、さらに内側のフレーム３０を備えており、このフレームは外側の滑り材フレーム２５と一緒にコイル輸送パレット８の台架３１を形成している。
【０１１２】
内側のフレーム３０により、本質的に巻取られたコイル６を一時的に担持するための担持装置３５を形成している。
【０１１３】
担持装置３５は、槽状に形成されており、従って担持装置の凹部３６あるいは（番号を付されていない）窪みの内部に巻取られたコイル６が安全に降ろされることができる。
【０１１４】
その際に、担持装置３５は（一例として番号を付された）少なくとも二つの架橋要素３７を備えており、これらの架橋要素は本質的に凹部３６の形を整えている。これらの架橋要素３７上に巻取られたコイル６が降ろされることができる。
【０１１５】
層部３６により、コイル輸送パレット８には特に深くコイル輸送パレット８内にあるコイル収容空間３８が形成されている。
【０１１６】
さらに、コイル輸送パレット８は結合ユニット４０を特徴として備えており、この結合ユニットを用いて、コイル輸送パレットはコイル排出車１１に一時的に確実に結合されることができる。
【０１１７】
この結合ユニット４０は、（単に一例として番号を付された）第一に結合差込み部材４１を備えており、この結合差込み部材は内側のフレーム３０に配置されており、かつコイル輸送パレット８の長手方向軸線２０の方向に延びている。
【０１１８】
一方、この結合ユニット４０は、（単に一例として番号を付された）横桁部材４２を備えており、この横桁部材は外側の滑り材フレーム２５により形成されており、かつコイル輸送パレット８の長手方向軸線２０に対して横方向に延びている。
【０１１９】
その際に、横桁部材４２は、内側のフレーム３０或いは結合差込み部材４１から軸方向に、その中間に結合空間４３が生じ、しかもコイル輸送パレット８の前後に生じるように間隔をおいて配置されている。
【０１２０】
これらの結合空間４３では、コイル排出車１１の結合装置４６の結合要素４５が係合する（図３及び４を参照）。
【０１２１】
結合装置４６は、各コイル輸送パレット８における補完的に構成された結合ユニット４０と協働して作動できる結合要素４５（例示的に番号を付されたにすぎない）も備えている。
【０１２２】
その際に、これらの結合要素４５は、コイル輸送パレット８の結合差込み部材４１と、コイル輸送パレット８が長手軸線２０に対して横方向にコイル輸送車両１１に不動に結合されているように相互作用する。
【０１２３】
その上さらに結合要素４５は、一方では内側のフレーム３０と、他方では横桁部材４２と、コイル輸送パレット８が長手軸線２０に対して軸線方向にコイル輸送車両１１に不動に結合されているように相互作用する。
【０１２４】
今しかし、巻取られたコイル６の巻取り層４９（図５〜８を参照）を本発明の意味において、コイル輸送パレット８を貫通してこの巻取られたコイル６に押当てることができるように、コイル輸送パレット８は、少なくとも一つの移動可能な巻取り層４９および／または巻取り層端部７８（図７および８を参照）をコイル６に押当てるための押当て装置５２の移動可能な押当て要素５１を貫通させるための貫通開口部５０を備えている。
【０１２５】
この点で、コイル輸送パレット８は、押当て要素・貫通開口部５０を形成しており、この押当て要素・貫通開口部は、この押当て要素が問題なく下側からコイル輸送パレット８を貫通して巻取られたコイル６まで近づいて案内できるように、特に移動可能な押当て要素５１の寸法に合わせられている。
【０１２６】
従って、巻取られたコイル６と相互作用を行うために、移動可能な押当て要素５１は、貫通開口部５０を貫通して移動可能であるように、コイル輸送車両１１に配置されている。
【０１２７】
この点で、押当て装置５２を利用しながら、巻取られたコイル６は、コイル輸送パレット８上に、巻取り設備２，３或いは４で製造された、各コイル６の巻取った物が、その上で巻取られたコイルが降ろされるコイル輸送パレット８との唯一の相互作用によりもはや跳ね上る恐れが無いように降ろされることができる。これにより好都合なことに、巻取られたコイルの巻取った物を固定するための付加的な結束機械あるいはそのような物は、巻取り設備の後方に直接要ることはない。
【０１２８】
貫通開口部５０は、貫通開口部５０により互いに間隔を置かれた二つの結合ユニット４０の、結合空間４３の間にならびに貫通開口部５０により互いに間隔を置かれ、かつ二つの滑走および／または摺動面２９を構成する滑り材２７および２８の間に配置されている。
【０１２９】
さらに、貫通開口部５０は、担持装置３５の下方にかつコイル輸送パレット８の下側に配置されている。これにより、押当て装置５２は好都合なことに直接コイル輸送車両１１に配置されてもよい。
【０１３０】
貫通開口部５０が担持装置３５の凹部３６内に配置されていると、移動可能な押当て要素５１は、問題なく巻取られたコイル６まで移動されて近づく。その理由は、凹部３６を通って巻取られたコイル６が特にコイル輸送パレット８の中深く置くことができることにある。これにより、巻取られたコイル６は移動された押当て要素５１に対して直接近くに置かれている。
【０１３１】
貫通開口部５０は、その長手方向の位置合わせ５３によりコイル輸送パレット８或いはコイル収容空間３８の長手方向範囲２１の方向に延在している。
【０１３２】
さらに貫通開口部５０の長手方向の位置合わせ５３は、巻取られたコイル６のコイル回転軸線２３の方向に、その上押当て要素５１の回転軸線５４の方向に延在しており、コイル回転軸線２３と回転軸線５４は軸線平行に一緒に延びている。これにより貫通開口部５０を通り抜けて移動可能な押当て要素５１は、貫通開口部５０を通り抜けて構造上容易に巻取られたコイル６と相互作用することができる。
【０１３３】
さらに、貫通開口部５０は、コイル輸送パレット８に設けられたコイル結束方向５５或いはコイル結束開口部５６に対して横方向に延びており、このコイル結束開口部を使って基本的に巻取られたコイル６は、好都合な場合、解いて外すことができる。
【０１３４】
コイル結束開口部５６は、この実施例では、軸線方向で長手方向軸線２０に沿って互いに間隔をおいた、担持装置３５の二つの架橋要素３７の間にある。
【０１３５】
図３と４の描写からはっきりと目に見えるように、各押当て装置５２はこの実施例では、各々のコイル輸送車両１１或いはコイル排出車１１に直接配置されており、従って、どのコイル輸送車両１１も、巻取られたコイル６の押当てに関して自主的に作動できる。
【０１３６】
その際に、押当て装置５２は、例えばローラ要素の形態でかつ特に鋳塊ローラ要素５７の形態で実現されている少なくとも移動可能な押当て要素５１が各々のコイル輸送車両１１に対して移動しかつ巻取られたコイル６の外側の巻取り層４９でもって機械式に作用を与える接触状態にされることができるように形成されている。
【０１３７】
すでに記載されているように、移動可能な押当て要素５１は、コイル輸送車両１１に対して直線的に移動可能にこのコイル輸送車両１１に支承されている。
【０１３８】
移動可能な押当て要素５１を特にコイル輸送パレット８或いはコイル・パレットユニット１０に対して垂直方向に移動できるように、押当て装置５２は、中心でコイル輸送車両１１に配置されている対応する昇降装置６０を備えている。
【０１３９】
コイル輸送パレット８の方を向いたその側面６１において、コイル輸送車両１１はパレット移動装置６５を備えており、前記パレット収容部１１Ａはコイル輸送車両１１のパレット移動装置６５の上側の部材であり、このパレット収容部上でコイル輸送パレット８は降ろされる。
【０１４０】
この実施例には、パレット収容部１１Ａはフレーム部材６２として構成されており、このフレーム部材は、コイル輸送車両１１に配置された押当て装置５２の、特に移動可能な押当て要素５１を囲んでいる。
【０１４１】
このように構成されたパレット移動装置６５を用いて、コイル輸送パレット８は、移動可能な押当て要素５１とは独立して巻取られたコイル６まで持上げられることができ、従って、次いでコイル輸送パレット８と相互作用するコイル６は、場合によっては、コイル輸送車両１１を用いて巻取りマンドレル７から取去られ、かつコイル・パレットユニット１０として巻取り設備２，３或いは４から引渡されることができる。
【０１４２】
パレット移動装置６５はこの目的で昇降装置６６を用いて垂直方向に進められることができる。
【０１４３】
コイル輸送車両１１はさらに（単に一例として番号を付された）四つの車輪要素６７も備えており、この車輪要素を用いて、コイル輸送車両は排出区間６８に沿って移動できる。
【０１４４】
図３に従った描写によれば、コイル輸送車両１１は昇降装置６６に対して上昇された状態で示されており、コイル輸送パレット８はコイル輸送車両１１のパレット収容部１１Ａに結合されている。押当て要素５１はその際に下方からさらに先へ凹部３６の中に移動されており、従って早いうちに外側の巻取り層４９と或いは巻取り層端部７８（図７及び８参照）と接触しかつ巻取られたコイル６に対して押当てされる。
【０１４５】
図４に従った描写によれば、コイル輸送車両１１は代替え的に同時にコイル輸送パレット８が無しでかつ昇降装置６６に対して引込められた状態で示されている。
【０１４６】
より詳細に示された排出装置５における図５〜８により、例えば工程順序が示されかつ説明を加えられており、この工程順序は特殊な輸送パレット８でもって或いはコイル輸送車両１１でもって遂行されることができる。
【０１４７】
巻取られたコイル６は、その際に、巻取りマンドレル７により尚巻取り設備２，３或いは４に保持されている。
【０１４８】
排出装置５は、特に巻取りマンドレル７或いは巻取られたコイル６の下方に配置可能なコイル輸送車両１１を備えており、コイル６がまだ完全に巻取られる間、このコイル輸送車両はコイル輸送パレット８と一緒にすでに巻取られるコイルの下方に駐車されている。
【０１４９】
この点で、押当て装置５２はコイル輸送車両１１を用いて巻取り設備２，３或いは４に供給される。
【０１５０】
図５に従った描写に示されているように、巻取りマンドレル７には左上から鋼ストリップ６Ａが供給装置７０を用いて公知の方法で調達される。
【０１５１】
巻取りマンドレル７とほぼ同芯に、方向転換兼押当て装置７１，７２と７３が配置されており、この方向転換兼押当て装置を用いて、巻取り工程は公知の方法で補助され得る。三つの方向転換兼押当て装置７１，７２および７３は、いわゆる方向転換シェル体として構成されていてもよい。
【０１５２】
どの方向転換装置７１，７２，７３も、（単に一例として番号を付された）引渡し機構７４を備えており、この引渡し機構を用いて、巻取られるべきコイル６には、（同様に単に一例として番号を付された）方向転換兼押当てローラ７５が必要に応じて供給され得る。
【０１５３】
特に鋼ストリップ６Ａが切断されている場合、巻取られたコイル６の巻取り層４９はこの方向転換兼押当てローラ７５を使って束ねることができ、従って、巻取られたコイル６は不慮の跳ね上りに対して保護されている。
【０１５４】
図５に従った描写によれば、コイル輸送車両１１の押当て装置５２の移動可能な押当て要素５１は尚下方へとコイル輸送車両１１の中に引込められている。同じことはパレット移動装置６５にも言える。
【０１５５】
図６に従った描写によれば、押当て要素が特に外側の巻取り層４９を巻取られたコイル６に抗して押圧するまで、移動可能な押当て要素５１は、コイル輸送パレット８を通って、垂直な方向７６ですでに垂直で上方に向かって巻取られたコイル６の方向に移動されている（移動可能な押当て要素５１の破線で書かれた描写は、まだ下側の位置の押当て要素を示す）。
【０１５６】
鋼ストリップ６Ａはすでに（示されていない）分離装置から分離されたか或いは現在切断され、特に、完全に巻取られたコイル６の外側の巻取り層４９は、特に移動可能な押当て要素５１により完全に巻取られたコイル６に押当てられ、従って、巻取られたコイル６が不慮に跳ね上がる恐れが無いことが保証されている。
【０１５７】
巻取層端部７８がおおよそ１７時の位置７９にあるまで（特に図７，８参照）、巻取られたコイル６は回転方向７７に従ってその点まではさらに回転される。
【０１５８】
巻取られたコイル６の巻取り層４９が、コイル輸送車両１１に特有な押当て装置５２の移動可能な押当て要素５１により良好に固定されていると、旋回運動８０により、右下の旋回兼押当て装置７２は、コイル輸送車両１１の作用領域の外側に向かって移動され、従って、液圧で作動する昇降装置６６を用いて、パレット移動装置６５により担持されるコイル輸送パレット８は下方から、図７に従った描写により示されたように、巻取られたコイル６がコイル輸送パレット８上に降ろされるように、巻取られたコイル６に向かって移動できる（コイル輸送パレット８の破線で書かれた描写は、下側の位置でのコイル輸送パレットを示す）。
【０１５９】
巻取られたコイル６がコイル輸送パレット８の担持装置３５により確実に担持されていると、移動可能な押当て要素５１は、図８に従った描写により図示されているように、再度コイル輸送車両１１の方向で垂直に下方に向かって移動できる。
【０１６０】
巻取られたコイル６は、コイル輸送パレット８との接触による巻取られたコイル６の跳ね上りが不可能であるように、コイル輸送パレット８上に降ろされている。
【０１６１】
巻取られたコイル６の負荷は、コイル輸送パレット８により完全に収容され、従って巻取り設備２，３或いは４において及びパレット６６のための昇降装置の補助を受けながら各コイル・パレットユニット１０が作られている。
【０１６２】
従って、巻取られたコイル６は、コイル輸送パレット８と共に或いはコイル輸送パレット８を使用しながら、かつコイル輸送車両１１の補助により巻取りマンドレル７から取去られかつ巻取り設備２，３或いは４から排出できる。巻取られたコイル６が巻取りマンドレル７から離れていると昇降装置６６は再度引込められ、コイル輸送パレット８或いはコイル・パレットユニット１０は沈下する。最初にすでに説明を加えたように、引続いて、巻取られたコイル６は回転テーブルユニット１７においては固定式のフロアコンベア装置１５に引渡される。
【０１６３】
コイル・パレットユニット１０は、その後続の輸送の際に、固定式のフロアコンベア装置１５の回転テーブルユニット１７において高さ方向あるいは垂直軸線を中心に９０°だけ回転される。この点で、コイル・パレットユニット１０は、回転テーブルユニット１７において方向の変更を達成し、巻取られたコイルが一度割当てられたコイル輸送パレット８から取外される必要が無く、対応して目的地までさらに輸送できる。
【０１６４】
引続いて、回転テーブルユニット１７とコイル輸送車両１１を使用して、新しいコイル輸送パレット８は、各巻取り設備２，３或いは４の巻取りマンドレル７の下方まで運ばれ、従って、そこでは押当て装置２０を使用して新たなコイル・パレットユニット１０が作られる。
【０１６５】
この時点では、先にあるいは請求項においておよび／または図に記載された解決手段の特徴は、説明された特徴、効果および長所を対応して蓄積されて変えるか或いは達成することができるように場合によってはさらに組合すことができる。
【０１６６】
先に説明された実施例は、単にコイル輸送パレットあるいはコイル輸送車両の第一の形態にすぎないことは自明である。この点で、本発明の形態はこの実施例に限定されない。
【０１６７】
出願書類に開示された特徴は全て、特徴が個々にあるいは組合されて従来技術に対して新規性がある限り、発明にとって本質をなすものとして請求される。
【符号の説明】
【０１６８】
１  コイル排出兼コイル輸送システム
２  第一の巻取り設備
３  第二の巻取り設備
４  第三の巻取り設備
５  排出装置
６  巻取られたコイル
６Ａ  鋼ストリップ
７  巻取りマンドレル
８  コイル輸送パレット
１０  コイル・パレットユニット
１１  可動なコイル輸送車両、特にコイル排出車
１１Ａ  パレット収容部
１３  レール部分
１５  固定式のフロアコンベア装置
１６  ローラテーブルアレー部分
１７  回転テーブルユニット
１８  高さ方向あるいは垂直軸線
２０  長手方向軸線
２１  長手方向範囲
２２  横方向
２３  コイル回転軸線
２５  外側の滑りフレーム
２６  下側
２７  第一の滑り材
２８  別の滑り材
２９  滑走および／または摺動面
３０  内側のフレーム
３１  台架
３５  担持装置
３６  凹部
３７  架橋要素
３８  コイル収容空間
４０  結合ユニット
４１  結合差込み部材
４２  横桁
４３  結合空間
４５  結合要素
４６  結合装置
４９  巻取り層
５０  貫通開口部
５１  押当て要素
５２  押当て装置
５３  長手方向整向
５４  回転軸線
５５  コイル結束方向
５６  コイル結束開口部
５７  凹部ローラ要素
６０  押当て要素のための昇降装置
６１  側面
６２  フレーム部材
６５  パレット移動装置
６６  パレットのための昇降装置
６７  車輪要素
６８  排出区間
７０  供給装置
７１  上側の方向転換兼押当て装置
７２  下側の方向転換兼押当て装置
７３  左下側の方向転換兼押当て装置
７４  引渡し機構
７５  方向転換兼押当てローラ
７６  垂直方向
７７  回転方向
７８  巻取り層端部
７９  １７時の位置
８０  旋回運動
８１  作用領域
【図１】
0006624744.tif 000002
【図２】
0006624744.tif 000003
【図３】
0006624744.tif 000004
【図４】
0006624744.tif 000005
【図５】
0006624744.tif 000006
【図６】
0006624744.tif 000007
【図７】
0006624744.tif 000008
【図８】
0006624744.tif 000009